(57)【要約】【課題】移動レンズ群の位置を外観から確認できるレンズユニット及びカメラを提供することである。【解決手段】移動レンズ群を備えたレンズユニット及びカメラにおいて、レンズユニット１０の外側に、ズームレンズ群である第２レンズ群Ｌ２、第３レンズ群Ｌ３をそれぞれ収容する第２レンズ群レンズ室１３、第３レンズ群レンズ室１４に、これと追従して移動可能に、視認部８,９と遮光シート２０,２１とを、係合ピン１７を用いて取り付け、また、カメラ筐体１に矩形状の開口を設け、アクリルにより形成されたズーム確認窓７を固定した。【選択図】図２
2006126348.tif 000002
【特許請求の範囲】
【請求項１】
複数のレンズ群を含む撮影光学系を収容するレンズ収容部と、
前記レンズ収容部の内側に配置され、その光軸に沿った方向に移動可能に支持された少なくとも１つの移動レンズ群と、
前記移動レンズ群に追従して移動し、その少なくとも一部が前記レンズ収容部の外側に露出した視認部と、
を備えたレンズユニット。
【請求項２】
請求項１に記載のレンズユニットにおいて、
前記視認部は、発光部を備えること、
を特徴とするレンズユニット。
【請求項３】
請求項１又は請求項２に記載のレンズユニットにおいて、
前記レンズ収容部は、その側面に開口が形成され、
前記開口を貫通し、前記視認部と前記移動レンズ群とを連結する連結部と、
前記開口の縁部と前記連結部との隙間を遮蔽する遮蔽部とを備えること、
を特徴とするレンズユニット。
【請求項４】
請求項１から請求項３のいずれか１項に記載のレンズユニットにおいて、
前記撮影光学系は、光軸を屈曲させる屈曲光学部を、対物レンズよりも像側に備えていること、
を特徴とするレンズユニット。
【請求項５】
請求項４に記載のレンズユニットにおいて、
前記移動レンズ群は、前記屈曲光学部よりも像側に配置されていること、
を特徴とするレンズユニット。
【請求項６】
請求項１から請求項５のいずれか１項に記載のレンズユニットにおいて、
前記視認部が設けられた前記移動レンズ群は、前記撮影光学系の焦点距離の変化に応じて移動するズームレンズ群であること、
を特徴とするレンズユニット。
【請求項７】
請求項１から請求項６のいずれか１項に記載のレンズユニットと、
前記レンズユニットを収容するカメラ筐体と、
前記カメラ筐体の前記視認部と対向した位置に設けられた窓部と、
を備えたカメラ。
【請求項８】
請求項７に記載のカメラにおいて、
前記窓部は、前記カメラ筐体の前記対物レンズ側に配置されていること、
を特徴とするカメラ。
【請求項９】
請求項７又は請求項８に記載のカメラにおいて、
前記窓部は、透明又は半透明の材料により形成されたカバーが設けられていること、
を特徴とするカメラ。
【請求項１０】
請求項７から請求項９のいずれか１項に記載のカメラにおいて、
前記カメラ筐体又は前記カバーに設けられ、前記視認部の位置に対応する前記撮影光学系の状態を示す指標を有していること、
を特徴とするカメラ。
【請求項１１】
請求項７又は請求項８に記載のカメラにおいて、
前記窓部は、前記カメラ筐体と着脱可能であるカバーが設けられていること、
を特徴とするカメラ。
【発明の詳細な説明】
【技術分野】
【０００１】
本発明は、移動レンズ群を備えるレンズユニット及びカメラに関するものである。
【背景技術】
【０００２】
従来、光学ズームレンズを採用したカメラは、レンズ鏡筒をカメラボディから被写体側に繰り出し、その繰り出し量を変えることによって、焦点距離を変化することが一般的であった。このようなカメラは、その焦点距離の程度を、レンズ鏡筒の繰り出し量によって、外観から把握することができた。また、レンズ鏡筒が、望遠側、広角側のどちらかにあるのか、ある程度判別することができた。アクチュエータによってズーム駆動を行なうカメラの場合には、ズーム駆動が正常に行なわれているか、レンズ鏡筒の繰り出し量の変化を見て、外観から判別することができた。
【０００３】
また、カメラの小型化を図るために、光軸の方向を変換するプリズムなどの屈曲光学部を用い、撮影光学系の光軸をボディ内で屈曲させる屈曲光学系を備えているものがある（例えば、特許文献１。）。
さらに、カメラの小型化を図りつつ、レンズ群の移動により焦点距離を変化する光学ズームレンズを採用するため、その移動によって焦点距離が変化する移動レンズ群（ズームレンズ群）を、屈曲光学部よりも像側に設けたものがあった。
このような光学ズームレンズを採用したカメラは、焦点距離を変化させた場合にも、カメラボディの外側にレンズが繰り出されることがなく、カメラの取り扱いが容易となる。
【０００４】
しかし、屈曲光学系を採用し、その屈曲光学部よりも像側にズームレンズ群を配置したカメラの場合、その外観からは焦点距離が把握できず、また、ズームレンズ群の動作が正常であるか判断することができない。
【０００５】
そのため、以下のような問題があった。
（１）屈曲光学系を採用し、その屈曲光学部よりも像側にズームレンズ群を配置したカメラは、その外観からは、光学ズームを内蔵しているか否か判断ができない。
撮影倍率を変更するズーム機構には、撮影用レンズ群の焦点距離を変更する光学ズームと、撮像画像の一部を電子的に拡大する電子ズームとがあり、一般に画質劣化が少ないことから、光学ズームを搭載したカメラの方が、ユーザにとって付加価値が高いとされている。
しかし、外観から光学ズームの搭載が判別できないカメラの場合、ズーム機構を持たないか、又は電子ズームのみを備えたものと誤認されるおそれがある。
【０００６】
（２）光学ズームと電子ズームとを共に備えたカメラの場合、一般に通常は光学ズームを用い、光学ズームが望遠端に達したときに電子ズームに切り替えられるが、そのときにカメラの外観が変化しないので、その切り替わりが判断しにくい。
【０００７】
（３）外観からズームレンズ群が正常に駆動されているか確認できないので、開発工程、製造工程、修理対応等での動作確認、検査等が煩雑である。
【０００８】
（４）対物レンズを撮影者に向ける、いわゆる自分撮りや、リモコンによる撮影時にあっては、被写体側から焦点距離の把握ができない。
【特許文献１】特開平１１−２５８６７８号公報
【発明の開示】
【発明が解決しようとする課題】
【０００９】
本発明の課題は、移動レンズ群の位置を外観から確認できるレンズユニット及びカメラを提供することである。
【課題を解決するための手段】
【００１０】
本発明は、以下のような解決手段により、前記課題を解決する。なお、理解を容易にするために、本発明の実施例に対応する符号を付して説明するが、これに限定されるものではない。
【００１１】
請求項１の発明は、複数のレンズ群（Ｌ１，Ｌ２，Ｌ３，Ｌ４）を含む撮影光学系を収容するレンズ収容部（１１，１１１）と、前記レンズ収容部（１１，１１１）の内側に配置され、その光軸（Ｏ２）に沿った方向に移動可能に支持された少なくとも１つの移動レンズ群（Ｌ２，Ｌ３）と、前記移動レンズ群（Ｌ２，Ｌ３）に追従して移動し、その少なくとも一部（８，９，５８）が前記レンズ収容部（１１，１１１）の外側に露出した視認部（８，９，５８）とを備えたレンズユニット（１０，１１０）である。
【００１２】
請求項２の発明は、請求項１に記載のレンズユニット（１０，１１０）において、前記視認部（８，９，５８）は、発光部（５８）を備えることを特徴とするレンズユニット（１０，１１０）である。
【００１３】
請求項３の発明は、請求項１又は請求項２に記載のレンズユニット（１０，１１０）において、前記レンズ収容部（１１，１１１）は、その側面に開口（１１ｄ，１１ｅ，１１１ｄ，１１１ｅ）が形成され、前記開口（１１ｄ，１１ｅ，１１１ｄ，１１１ｅ）を貫通し、前記視認部（８，９，５８）と前記移動レンズ群（Ｌ２，Ｌ３）とを連結する連結部（１７）と、前記開口（１１ｄ，１１ｅ，１１１ｄ，１１１ｅ）の縁部と前記連結部（１７）との隙間を遮蔽する遮蔽部（２０，２１）とを備えることを特徴とするレンズユニット（１０，１１０）である。
【００１４】
請求項４の発明は、請求項１から請求項３のいずれか１項に記載のレンズユニット（１０，１１０）において、前記撮影光学系は、光軸を屈曲させる屈曲光学部（１２）を、対物レンズ（Ｌ１）よりも像側に備えていることを特徴とするレンズユニット（１０，１１０）である。
【００１５】
請求項５の発明は、請求項４に記載のレンズユニット（１０，１１０）において、前記移動レンズ群（Ｌ２，Ｌ３）は、前記屈曲光学部（１２）よりも像側に配置されていることを特徴とするレンズユニット（１０，１１０）である。
【００１６】
請求項６の発明は、請求項１から請求項５のいずれか１項に記載のレンズユニット（１０，１１０）において、前記視認部（８，９，５８）が設けられた前記移動レンズ群（Ｌ２，Ｌ３）は、前記撮影光学系の焦点距離の変化に応じて移動するズームレンズ群（Ｌ２，Ｌ３）であることを特徴とするレンズユニット（１０，１１０）である。
【００１７】
請求項７の発明は、請求項１から請求項６のいずれか１項に記載のレンズユニット（１０，１１０）と、前記レンズユニット（１０，１１０）を収容するカメラ筐体（１，５１）と、前記カメラ筐体（１，５１）の前記視認部（８，９，５８）と対向した位置に設けられた窓部（１ａ，５１ａ）とを備えたカメラである。
【００１８】
請求項８の発明は、請求項７に記載のカメラにおいて、前記窓部（１ａ，５１ａ）は、前記カメラ筐体（１，５１）の対物レンズ（Ｌ１）側に配置されていることを特徴とするカメラである。
【００１９】
請求項９の発明は、請求項７又は請求項８に記載のカメラにおいて、前記窓部（１ａ，５１ａ）は、透明又は半透明の材料により形成されたカバー（７）が設けられていることを特徴とするカメラである。
【００２０】
請求項１０の発明は、請求項７から請求項９のいずれか１項に記載のカメラにおいて、
前記カメラ筐体（１，５１）又は前記カバー（７）に設けられ、前記視認部（８，９，５８）の位置に対応する前記撮影光学系の状態を示す指標（５１ｂ）を有していることを特徴とするカメラである。
【００２１】
請求項１１の発明は、請求項７又は請求項８に記載のカメラにおいて、前記窓部（１ａ，５１ａ）は、前記カメラ筐体（１，５１）と着脱可能であるカバー（７）が設けられていることを特徴とするカメラである。
【発明の効果】
【００２２】
本発明によれば、以下の効果を奏することができる。
（１）レンズユニットは、移動レンズ群に追従して移動し、その少なくとも一部がレンズ収容部の外側に露出した視認部を備えているので、レンズユニットの外部から移動レンズ群の位置を把握することができる。
【００２３】
（２）レンズユニットの視認部は、発光部を備えているので、その視認性を向上することができる。
（３）レンズ収容部は、その側面に形成された開口と、その開口を貫通し、視認部と移動レンズ群とを連結する連結部と、開口の縁部と連結部との隙間を遮蔽する遮蔽部とを備えているので、隙間からレンズ収容部へ外部光が入射することを防ぐことができ、光学特性を確保することができる。
（４）カメラは、上述したレンズユニットを収容するカメラ筐体の上述した視認部と対向した位置に窓部を備えているので、カメラの外部から移動レンズ群の位置を把握することができる。
（５）窓部をカメラ筐体の対物レンズ側に配置しているので、被写体側から、移動レンズ群の位置を把握することができる。
（６）窓部は、透明又は半透明の材料により形成されたカバーが設けられているので、視認部の視認性を維持しながら、カメラ内部へ入る異物等を防ぐことができる。
（７）カメラ筐体又はカバーは、視認部の位置に対応する撮影光学系の状態を示す指標を有しているので、撮影光学系の状態を容易に確認することができる。
（８）窓部は、カメラ筐体と着脱可能であるカバーが設けられているので、開発工程、製造工程、品質保証等で、動作確認、検査等が必要なときに、カバーを取り外して移動レンズ群の位置を確認することができる。また、その必要がないときには、カバーを取り付けて視認部を隠すことができる。
【発明を実施するための最良の形態】
【００２４】
本発明は、移動レンズ群の位置を外観から確認できるレンズユニット及びカメラを提供するという目的を、レンズユニット筐体の内側に配置され、その光軸に沿った方向に移動するズームレンズ群と、これに追従して移動し、レンズユニット筐体の外側に露出した視認部を設けることによって解決した。
【実施例１】
【００２５】
以下、図面等を参照して、本発明の実施例をあげてさらに詳しく説明する。
以下の説明においては、カメラの正位置撮影時を基準に上下、前後等を説明する。なお、正位置撮影時とは、対物レンズの光軸を水平方向に向け、横長の画像を撮影するときの状態をいうものとし、また、カメラ本体の対物レンズ側の面を前面とし、その反対側を背面とする。
図１は、本発明を適用したカメラの実施例１を背面側からみた外観図である。
実施例１のカメラは、カメラ筐体１を備え、その背面部に、ＬＣＤ２と、ファインダ接眼窓３と、モード選択ボタン４と、選択決定用十字キー５と、ズームボタン６と、ズーム確認窓７と、視認部８，９とを備えている。
なお、この実施例１のカメラは、屈曲光学系を備え、その屈曲部よりも像側にズームレンズ群を配置したデジタルスチルカメラである。
【００２６】
カメラ筐体１は、略直方体に形成されており、カメラを背面からみた場合には、横長の矩形状となっている。
ＬＣＤ２は、撮像済み画像のモニタ及び電子式ファインダとして用いられる他、例えば、ズーム撮影時の焦点距離の程度を示す等、撮影に必要な情報を表示するものであり、カメラ筐体１の背面の略中央部に配置されている。
ファインダ接眼窓３は、このカメラの撮影図画を示す光学ファインダの接眼部であり、ＬＣＤ２の上側に設けられている。
モード選択ボタン４は、カメラの撮影モード選択等や、デート機能の選択等の機能を操作する３つのボタンであり、ＬＣＤ２の下側に横方向に配列されている。
選択決定用十字キー５は、例えば、複数の撮像済み画像から、ＬＣＤ２に表示する画像を選択する等の機能を有し、４つの方向ボタンと、その中心に１つの選択ボタンとを備え、ＬＣＤ２の右側に設けられている。
ズームボタン６は、焦点距離を変更するズーム操作をするためのボタンで、表面に「Ｗ」（広角を意味する）、「Ｔ」（望遠を意味する）と刻印された２つのボタンから形成され、カメラ背面の右上に設けられている。
ズーム確認窓７は、ＬＣＤ２の左側に配置されている。そのズーム確認窓７の内側に、視認部８，９が配置されている。
なお、ズーム確認窓７、視認部８，９については後に詳しく説明する。
【００２７】
次に、実施例１のカメラの内部構造について説明する。
図２は、図１のＷ−Ｗ部矢視断面図である。
図３は、図２のＸ−Ｘ部矢視図である。
実施例１のカメラは、カメラ筐体１に、撮影光学系を備えたレンズユニット１０を収容している。
なお、本明細書では、レンズユニット１０とは、撮影用レンズ群、光束を屈曲するプリズム、撮像素子等の光学系を、同じ筐体内に収容してユニット化したものをいうものとする。
【００２８】
図２、図３に示すように、レンズユニット１０は、レンズユニット筐体１１と、第１レンズ群Ｌ１、第２レンズ群Ｌ２、第３レンズ群Ｌ３、第４レンズ群Ｌ４からなる撮影用レンズ群と、プリズム１２と、第２レンズ群レンズ室１３と、第３レンズ群レンズ室１４と、第４レンズ群レンズ室１５とガイド軸１６と、４つの係合ピン１７と、係合ピン１８と、３つのフォロアピン１９と、視認部８，９と、遮光シート２０，２１と、撮像素子２２とを備えている。
【００２９】
レンズユニット１０は、被写体側から入射した光束の進行方向を、プリズム１２によって例えば９０度屈曲させるいわゆる屈曲光学系を備えている。
実施例１の屈曲光学系は、４群構成のズームレンズ群と、その第１レンズ群Ｌ１と第２レンズ群Ｌ２との間に設けられ、通過する光束の進行方向を例えば９０度屈曲させる屈曲光学部であるプリズム１２が配置されている。
以下、第１レンズ群Ｌ１からプリズム１２までの光軸をＯ１、屈曲された光軸をＯ２と称して説明する。
プリズム１２の出光側よりも像側には、第２レンズ群Ｌ２、第３レンズ群Ｌ３、第４レンズ群Ｌ４、及び、撮像素子２２が順に配置されている。
【００３０】
レンズユニット筐体１１は、カメラ筐体１の内側に配置され、対物レンズである第１レンズ群Ｌ１を収容し、その光軸Ｏ１に沿って略水平方向に沿って延在する筒部１１ｂと、その像側に設けられ、上述したプリズム１２を収容するプリズム収容部１１ａと、プリズム収容部１１ａからその下方に略鉛直方向に沿って延在し、第２レンズ群Ｌ２以降の光学系を収容する筒部１１ｃとを有して形成されている。
筒部１１ｃは、そのカメラ背面方向の側面に、ガイド孔１１ｄ，１１ｅが形成されている。ガイド孔１１ｄ，１１ｅは、後に詳述する第２レンズ群Ｌ２及び第３レンズ群Ｌ３にそれぞれ接続される係合ピン１７がガイドされるものであり、筒部１１ｃの長手方向に沿った長孔に形成され、並行して設けられている。このガイド孔１１ｄ，１１ｅの長手方向に沿った長さは、後述する第２レンズ群Ｌ２及び第３レンズ群Ｌ３の移動範囲をカバーするように設定されている。
なお、説明を容易にするため、図２においては、ガイド孔１１ｄ，１１ｅ部と係合ピン１７等は、これらのガイド孔の断面形状を示すものとする。
また、筒部１１ｃは、そのカメラ背面方向の内面を凹ませて、第４レンズ群Ｌ４の移動をガイドするガイド溝１１ｆが形成されている。ガイド溝１１ｆは、第４レンズ群Ｌ４の移動範囲をカバーする長さを有し、その光軸Ｏ２方向に沿って延在する溝である。
また、レンズユニット筐体１１は、ガイド軸１６を備えている。ガイド軸１６は、第２レンズ群Ｌ２、第３レンズ群Ｌ３及び第４レンズ群Ｌ４をそれぞれガイドするものであり、筒部１１ｃのカメラ前面方向の壁部に隣接し、光軸Ｏ２に沿った方向に、筒部１１ｃに沿って延在している。
【００３１】
第１レンズ群Ｌ１は、いわゆる対物レンズであって、その光軸Ｏ１を、カメラの前方に向けた状態でレンズユニット筐体１１の筒部１１ｂに固定されている。
【００３２】
第２レンズ群Ｌ２、第３レンズ群Ｌ３は、レンズユニット筐体１１の筒部１１ｃの内部に配置されている。第２レンズ群Ｌ２、第３レンズ群Ｌ３は、撮影光学系の焦点距離の変化に応じて、光軸Ｏ２に沿った方向へ移動する、ズームレンズ群である。第２レンズ群Ｌ２は、レンズＬ２ａ，Ｌ２ｂを含み、第３レンズ群Ｌ３は、レンズＬ３ａ，Ｌ３ｂを含む。
第４レンズ群Ｌ４は、レンズユニット筐体１１の筒部１１ｃの内側に配置されている。第４レンズ群Ｌ４は、光軸Ｏ２に沿った方向への移動によって、撮影用レンズ群の被写体距離を変更するいわゆるフォーカスレンズ群である。
【００３３】
第２レンズ群レンズ室１３、第３レンズ群レンズ室１４、第４レンズ群レンズ室１５は、それぞれ第２レンズ群Ｌ２、第３レンズ群Ｌ３、第４レンズ群Ｌ４を収容する枠体を備えている。各レンズ室は、そのカメラ前面方向の範囲に、光軸Ｏ２に沿った方向に、それぞれ通孔１３ａ，１４ａ，１５ａを有しており、これにガイド軸１６が挿入されることによって、光軸Ｏ２に沿った方向へ移動可能にガイドされている。
第２レンズ群レンズ室１３は、２つの係合ピン１７が固定されている。この２つの係合ピン１７は、第２レンズ群レンズ室１３のカメラ背面方向の外壁から、カメラの背面方向に向けて、略水平に突き出して設けられている。２つの係合ピン１７は、レンズユニット筐体１１のガイド孔１１ｄ，１１ｅをそれぞれ貫通しており、第２レンズ群レンズ室１３の移動に追従してガイド孔１１ｄ，１１ｅに沿って移動する。
同様に第３レンズ群レンズ室１４は、他の２つの係合ピン１７が固定されている。
第４レンズ群レンズ室１５は、係合ピン１８が固定されている。この係合ピン１８は、第４レンズ群レンズ室１５のカメラ背面方向の外壁から、カメラ背面方向に突き出して設けられ、その突端部は、上述したガイド溝１１ｆに挿入されている。
【００３４】
第２レンズ群レンズ室１３、第３レンズ群レンズ室１４、第４レンズ群レンズ室１５は、それぞれそのカメラ前方側に突き出して形成されたフォロアピン１９を備えている。これらの各フォロアピン１９は、図示しないアクチュエータと接続され、第２レンズ群Ｌ２、第３レンズ群Ｌ３は、ズームボタン６からの入力に応じて光軸Ｏ２方向に沿って駆動され、これによって撮影光学系の焦点距離が変更される。
また、第４レンズ群Ｌ４は、公知の自動焦点合わせ制御に応じて光軸Ｏ２方向に沿って駆動され、これによって被写体距離が変更される。
【００３５】
遮光シート２０，２１は、図３に示すように、矩形状をしており、その長辺方向を光軸Ｏ２に沿った方向とし、レンズユニット筐体１１の筒部１１ｃのカメラ背面方向の外壁に配置されている。
遮光シート２０，２１は、それぞれ第２レンズ群レンズ室１３、及び、第３レンズ群レンズ室１４に設けられた係合ピン１７が挿入され、これら各レンズ室に追従して移動する。
遮光シート２１は、その上側の一部の範囲が、遮光シート２０のカメラ背面側の面に重なるように配置されている。以下、この重なった領域を、重なり部２１ａと称して説明する。遮光シート２０，２１は、レンズユニット筐体１１のガイド孔１１ｄ，１１ｅと、係合ピン１７との隙間を覆い、レンズユニット１０の外部から各レンズ群側への漏光を防止している。
【００３６】
視認部８，９は、第２レンズ群レンズ室１３及び第３レンズ群レンズ室１４に設けられた係合ピン１７にそれぞれ固定され、遮光シート２０，２１のカメラ背面方向の面に配置されている。
視認部８，９は、シート状をしており、その平面形状は、図３に示すように、それぞれレンズエレメントの断面形状を模した形状をしている。
【００３７】
視認部８と遮光シート２０は、それぞれ２つの貫通孔を有しており、これに２つの係合ピン１７が貫通している。視認部８と遮光シート２０は、レンズユニット筐体１１と係合ピン１７のカメラ背面方向の先端に設けられたフランジ部１７ａとの間に挟まれ、また、連結部である係合ピン１７を用いて、第２レンズ群レンズ室１３に追従して移動可能に、連結されている。
同様にして、視認部９と遮光シート２１は、他の２つの係合ピン１７を用いて、第３レンズ群レンズ室１４に追従して移動可能とされる。この第３レンズ群レンズ室１４に固定された係合ピン１７は、遮光シート２０の下方の縁よりも下方に配置されている。
【００３８】
撮像素子２２は、各レンズ群によって結像された被写体像を電気信号に変換するものであり、例えばＣＣＤ、ＣＭＯＳ等の光−電気変換素子が用いられている。撮像素子２２は、レンズユニット筐体１１の筒部１１ｃの下方の端部に固定されている。
【００３９】
なお、これまで説明した、図２、図３は、撮影光学系の焦点距離が最短である広角端の場合である。以下、撮影光学系の焦点距離が最長である望遠端の場合の説明をする。
図４は、望遠端の場合の図１のＸ−Ｘ部矢視断面図である。
図５は、図４のＹ−Ｙ部矢視図である。
第２レンズ群Ｌ２、第３レンズ群Ｌ３は、それぞれ広角端の場合よりも、プリズム１２側に移動している。また、視認部８と遮光シート２０は、第２レンズ群Ｌ２に追従して移動をしている。同様に、視認部９と遮光シート２１は、第３レンズ群Ｌ３に追従して移動をしている。
なお、この場合にも、遮光シート２０，２１は、ガイド孔１１ｄ，１１ｅをカバーでき、かつ、各係合ピン１７との干渉がないようにその形状が設定されている。
また、第２レンズ群Ｌ２と第３レンズ群Ｌ３との光軸Ｏ２に沿った方向の距離は、広角端のときよりも大きくなっているが、このときにも、重なり部２１ａが残存するようになっている。
【００４０】
また、カメラ筐体１は、その背面の、視認部８，９に対向した位置に、窓部１ａが設けられている。この窓部１ａは、視認部８，９の移動範囲よりもその移動方向に沿った長さを大きく設定された矩形状の開口である。この窓部１ａは、上述したズーム確認窓７が固定されている。
ズーム確認窓７は、透明な材料であるアクリルにより形成されたカバーであり、窓部１ａを塞いで固定されている。
【００４１】
また、実施例１のカメラは、撮像素子２２が取得した画像データの一部をトリミングし、見かけの撮影倍率を大きくする電子ズーム機能を備えている。電子ズーム機能は、ズームボタン６の操作によって、撮影光学系が望遠端に達したときに、図示しない制御部によって自動的に起動されるようになっている。そして、撮影光学系が望遠端に達したときに、さらに望遠側への操作を継続することにより、電子ズームに切り替えられる。
【００４２】
以上のように実施例１のカメラは、第２レンズ群Ｌ２及び第３レンズ群Ｌ３に追従して移動し、レンズユニット筐体１１の外部に露出した視認部８，９を設け、また、カメラ筐体１に、透明な材料であるアクリルにより形成されたズーム確認窓７を備えているから、カメラの外観から第２レンズ群Ｌ２と第３レンズ群Ｌ３の移動状態を、視認部８，９を通じて確認し、焦点距離を把握することができる。また、カメラ内部へ入る異物等を防止することができる。
また、カメラの外観から光学ズームを搭載していることが確認できるので、電子ズームのみ備えたカメラや、単焦点カメラとの判別が容易で、製品の差別化ができ、製品の訴求力を高めることができる。
【００４３】
さらに、光学ズームが望遠端に達し、電子ズームに切り替わる際には、視認部８，９が移動を終了することが外部より視認できるから、その切り替わりを判別することができる。
【００４４】
さらにまた、開発工程、製造工程、修理対応等では、カメラの外部から、第２レンズ群Ｌ２、第３レンズ群Ｌ３の動作確認ができるので、作業効率をあげることができる。
【００４５】
くわえて、遮光シート２０，２１を設け、レンズユニット筐体１１の内部へ入射する外部光を防いでいるので、上述した効果を保ったまま、光学特性の性能を維持することができる。
【００４６】
その上、ＬＣＤ２を利用しなくても、視認部８，９により光学ズームの焦点距離を把握することができるので、カメラの消費電力を節約し、電池による駆動時間を向上することができる。
【実施例２】
【００４７】
次に、本発明を適用したカメラの実施例２について説明する。以下、上述した実施例１と同様の部分については、同じ符号を付して説明を省略し、主に相違点について説明する。
図６は、実施例２のカメラを正面側からみた外観図である。
実施例２のカメラは、その正面に、カメラ筐体５１と、照明光発光部５２と、ファインダ対物レンズ５３と、第１レンズ群Ｌ１と、ズーム確認窓７と、指標部５１ｂと、発光ダイオード５８とを備えている。
照明光発光部５２は、被写体に当てる例えば閃光発光装置であり、矩形状をしており、カメラ筐体の前面の中央部上側に配置されている。
ファインダ対物レンズ５３は、照明光発光部５２の右側に配置されている。
ズーム確認窓７は、カメラ筐体５１の前面の右側に配置されている。
指標部５１ｂは、ズーム確認窓７の左側のカメラ筐体５１の表面に、例えばシルク印刷によって示された目盛である。
発光ダイオード５８は、撮影時に発光する発光部であり、ズーム確認窓７の内側に配置されている。
なお、ズーム確認窓７、指標部５１ｂ、発光ダイオード５８については後述する。
【００４８】
図７は、図６のＺ−Ｚ部矢視断面図である。
実施例２のカメラは、遮光シート２１、係合ピン１７をレンズユニット筐体５１のカメラ前方側に設け、フォロアピン１９、ガイド軸１６をカメラ後方側に設けている。
なお、上述した実施例１と同様の部分であるが、上述した変更に伴い、その配置がレンズユニット筐体の前後方向で入れ替わっているものについては、実施例１の同様部分の符号の数字に１００を加えた符号を付して説明する。
【００４９】
レンズユニット筐体１１１の筒部１１１ｃは、そのカメラ前面方向の内面を凹ませて、第２レンズ群Ｌ２の移動をガイドするガイド溝１１１ｇが形成されている。ガイド溝１１１ｇは、第２レンズ群Ｌ２の移動範囲をカバーする長さを有し、その光軸Ｏ２方向に沿って延在する溝である。
第２レンズ群レンズ室１１３には、係合ピン６８が固定されている。この係合ピン６８は、第２レンズ群レンズ室１１３のカメラ前面方向の外壁から、カメラ前面方向に突き出して設けられている。その突端部は、ガイド溝１１１ｇに挿入されている。
実施例２においては、係合ピン１７は、第３レンズ群レンズ室１１４にのみ設けられている。遮光シート２１は、これに追従して移動可能に連結されている。
また、係合ピン１７の先端部には、発光ダイオード５８が設けられている。
【００５０】
なお、これまで説明した図７は、撮影光学系の状態が広角端の場合である。以下、望遠端の説明をする。
図８は、望遠端の場合の図６のＺ−Ｚ部矢視断面図である。
第２レンズ群Ｌ２、第３レンズ群Ｌ３は、焦点距離を長くすることにより、広角端のときよりも、プリズム１２側に移動している。また、発光ダイオード５８と遮光シート２１は、第２レンズ群レンズ室１１３と係合ピン１７を用いて連結されているので、第２レンズ群Ｌ２に追従して移動をしている。
【００５１】
本実施例の遮光シート２１は、望遠端となり、光軸Ｏ２に沿った方向への移動位置が上限のときにも、レンズユニット筐体１１１のガイド孔１１１ｄ，１１１ｅを覆うよう下方の縁が設定されている。逆に、広角端となり、光軸Ｏ２に沿った方向への移動位置が下限となっても、ガイド孔１１１ｄ，１１１ｅを覆うように遮光シート２１の上方の縁が設定されている（図７参照）。
【００５２】
図６にもどって、カメラ筐体５１は、その前面の、発光ダイオード５８と対向した位置に、矩形状の窓部５１ａが設けられている。また、カメラ筐体５１は、発光ダイオード５８の位置に対応した指標である指標部５１ｂを備えている。
窓部５１ａは、発光ダイオード５８の移動範囲よりもその移動方向に沿った長さを大きく設定された矩形状の開口である。窓部５１ａには、ズーム確認窓７が固定されている。
ズーム確認窓７は、矩形状をしており、半透明な材料であるアクリルにより形成されたカバーである。
指標５１ｂは、広角端の場合の発光ダイオード５８の位置に対応した位置に「Ｗ」（
広角を意味する）と、同様に望遠端の場合の位置に「Ｔ」（望遠を意味する）とシルク印刷されている。また、これらの間には、シルク印刷によって目盛が表示されている。
【００５３】
実施例２のカメラは、半透明なアクリルの確認窓７を備え、また、視認部に発光ダイオード５８を備えているので、その視認性がよい。
また、カメラ筐体５１に、指標５１ｂを有しているので、撮影光学系の焦点距離をより把握しやすい。
さらに、カメラ筐体５１の対物レンズ側にズーム確認窓７を配置しているので、被写体側から、焦点距離の把握をすることができる。
【００５４】
（変形例）
以上説明した実施例に限定されることなく、種々の変形や変更が可能であって、それらも本発明の均等の範囲内である。
（１）実施例２において、発光部を備えた視認部は、発光ダイオード５８である例を示したが、これに限らず、例えば、蓄光体や蛍光体等の発光体でもよい。
（２）各実施例において、ズーム確認窓７は、透明又は半透明な材料であるアクリルにより形成されたカバーである例を示したが、これに限らず、例えば、開発工程等で移動レンズ群の動作確認を行なう場合は、ズーム確認窓７にカバーを装着しない状態で行ない、出荷時には、治具等を用いてカメラ筐体から着脱可能であり、透光性を有しない材料から形成されたカバーを装着してもよい。
（３）実施例１において、視認部８，９が連結された移動レンズ群Ｌ２，Ｌ３は、ズームレンズ群である例を示したが、これに限られず、例えば、フォーカスレンズ群等でもよい。
（４）実施例２において、屈曲光学部はプリズム１２である例を示したが、これに限られず、例えば、ミラー等でもよい。
（５）各実施例において、指標部５１ｂはカメラ筐体５１に設けられている例を示したが、例えば、ズーム確認窓７に設けてもよい。
【図面の簡単な説明】
【００５５】
【図１】本発明を適用した実施例１のカメラを背面側からみた外観図である。
【図２】実施例１のカメラの焦点距離が広角端のときの図１のＷ−Ｗ部矢視断面図である。
【図３】図２のＸ−Ｘ部矢視図である。
【図４】実施例１のカメラの焦点距離が望遠端のときの図１のＷ−Ｗ部矢視断面図である。
【図５】図４のＹ−Ｙ部矢視図である。
【図６】実施例２のカメラを前面側からみた外観図である。
【図７】実施例２のカメラの焦点距離が広角端のときの図６のＺ−Ｚ部矢視断面図である。
【図８】実施例２のカメラの焦点距離が望遠端のときの図６のＺ−Ｚ部矢視断面図である。
【符号の説明】
【００５６】
１，５１    カメラ筐体
１ａ，５１ａ    窓部
２    ＬＣＤ
３    ファインダ接眼窓
４    モード選択ボタン
５    選択決定用十字キー
６    ズームボタン
７    ズーム確認窓
８，９    視認部
１０，１１０    レンズユニット
１１，１１１    レンズユニット筐体
１１ａ，１１１ａ    プリズム収容部
１１ｂ，１１ｃ，１１１ｂ，１１１ｃ    筒部
１１ｄ，１１ｅ，１１１ｄ，１１１ｅ    ガイド孔
１１ｆ，１１１ｇ    ガイド溝
１２    プリズム
１３，１１３    第２レンズ群レンズ室
１３ａ，１４ａ，１５ａ    通孔
１４，１１４    第３レンズ群レンズ室
１５，１１５    第４レンズ群レンズ室
１６    ガイド軸
１７，１８，６８    係合ピン
１７ａ    フランジ部
１９    フォロアピン
２０，２１    遮光シート
２１ａ    重なり部
２２    撮像素子
５１ｂ    指標部
５２    照明光発光部
５３    ファインダ対物レンズ
５８    発光ダイオード
Ｌ１    第１レンズ群
Ｌ２    第２レンズ群
Ｌ３    第３レンズ群
Ｌ４    第４レンズ群
Ｌ２ａ，Ｌ２ｂ，Ｌ３ａ，Ｌ３ｂ    レンズ
Ｏ１，Ｏ２    光軸
【図１】
2006126348.tif 000003
【図２】
2006126348.tif 000004
【図３】
2006126348.tif 000005
【図４】
2006126348.tif 000006
【図５】
2006126348.tif 000007
【図６】
2006126348.tif 000008
【図７】
2006126348.tif 000009
【図８】
2006126348.tif 000010